(57)【要約】【課題】長さ及び断面積の大きいルアーを水深のある場所で使用すると自重だけでなく、水圧、水の抵抗が大きくなり、ロッドを操作してジャーキングさせる場合に非常に重く、釣り人への負担が大きいために長時間釣りを続けることができない。【解決手段】ルアー主体１１の長手方向の前後にアイを具備しこれにフック４を装着するルアーにおいて、ルアー主体１１をタングステンを主成分とする焼結合金で形成し、長手方向の前後に貫通する挿通孔１２を具備させ、前部アイ２２と後部アイ２３を両端に形成する挿通体２を前記挿通孔１２に挿通するとともに、該挿通体２が挿通孔１２から抜脱しないようにする。【選択図】　　　　図１
2004057099.tif 000002
【特許請求の範囲】
【請求項１】
ルアー主体１１の長手方向の前後にアイを具備しこれにフック４を装着するルアーにおいて、
ルアー主体１１がタングステンを主成分とする焼結合金で形成され、長手方向の前後に貫通する挿通孔１２を有し、
前部アイ２２と後部アイ２３を両端に形成する挿通体２を前記挿通孔１２に挿通するとともに、該挿通体２が挿通孔１２から抜脱しないようにしたことを特徴とするルアー。
【請求項２】
ルアー主体１１の挿通孔１２に挿通体２が遊挿され、挿通体２を軸としてルアー主体１１が回転しうることを特徴とする請求項１記載のルアー。
【請求項３】
挿通体２を軸としてルアー主体１１を回転させうる回転力を生じさせる回転力発生部１３がルアー主体１１に形成されていることを特徴とする請求項２記載のルアー。
【発明の詳細な説明】
【０００１】
【発明が属する技術分野】
本発明は釣りに使用するルアーに関する。
【０００２】
【従来の技術】
釣りに使用するルアーの一種に、細長く扁平に形成した金属片からなり、対象魚の餌となる小魚に擬した大きさと輪郭形状を有したものがある。該ルアーは水深の深い場所で使用するのに適したルアーであるが、近年の釣り具及び釣技の発達によってより水深のある場所での釣りが可能となってきている。このためルアーを水深５０メートルから２００メートル、対象魚によっては４００メートル以上の水深で使用する場合がある。軽量のルアーでは所定の水深へ到達するまでに時間が掛かり、貴重な釣り時間を浪費するだけでなく、潮流によって流されやすくなるので、水深が深い場合ほど重量のあるものを選択して狙った水深までルアーを迅速に沈ませる必要がある。このため釣り人が水深と潮流に合わせて選択できるように重量が数十グラムのものから数百グラムのものまで多様なルアーが用意されている。
【０００３】
上記のようにルアーを水深の深い場所に迅速に沈ませるため、ルアー主体は比重が大きく加工が容易であり、しかも廉価な金属である鉛が使用されている。そしてステンレス等の金属線材がルアー主体を前後方向に貫通しており、ルアー主体の前端と後端には前記金属線材からなるアイ（釣り糸や釣り針を装着する環状部）を具備し、通常後部アイにリングを介してフック（釣り針）を装着している。ルアー主体の表面には凹凸を形成したり、蛍光塗料等による着色、光を反射するシート部材の貼着によって小魚の頭部の形状や鱗模様を表わしている。
【０００４】
上記ルアーは、前部アイにライン（釣り糸）を結び付け、対象魚のいる水深または底までルアーを沈め、ロッド（釣竿）の先端を上下に振ってルアーを急速に上昇（ジャーキング）させたり、ラインの巻き上げをスピードに変化を付けて行い、回転しながら上昇させたり、きりもみ状に落下させたりなどのアクションをつける。このとき回転や、きりもみ状に落下することによってルアーの表面が光を乱反射させて対象魚にアピールするのである。
【０００５】
【発明が解決しようとする課題】
しかし上記従来のルアーは、鉛で形成されているため重量のあるルアーほど長さ、断面積ともに増大し、水深の深い場所を釣る重量のあるルアーは長さ、断面積ともに大きくなっていた。このため重量のあるルアーを水深のある場所で使用すると自重だけでなく、水圧、水の抵抗が大きくなり、ロッドを操作してジャーキングさせる場合に非常に重く、釣り人への負担が大きいために長時間釣りを続けることができないという問題が生じていた。
【０００６】
一方、潮流の速い釣り場ではルアーが潮流に流されないように水深とは関係なく重量のあるものが選択される。しかし上述のように重量のあるルアーは大型で側面積も大きく、潮流の影響を受けやすくなり、潮流に流されないように重量のあるルアーを選択してもその効果は少なかった。また、重量のある大型のルアーでは対象魚の捕食している小魚より大型となってしまい、対象魚がルアーを追わなくなって釣果が低減するという問題があった。
【０００７】
また、ルアーは水中での様々なアクションによって光を乱反射させ対象魚にアピールするものである。ルアーの形状等のデザインはアクションに密接な関係があり、例えばルアーの周縁部の肉厚を薄く形成することによって水切れがよくなり、ルアーのアクションが鋭角的になって対象魚によりよくアピールできるのである。しかし上記従来のルアーは素材が柔らかい鉛であるため周縁部の肉厚を薄くすると水底の岩石等に衝突して変形、欠損するおそれがあり、ルアーの消耗が早くなるという問題がある。一方、ルアーの消耗を防止するためデザインを犠牲にして周縁部の肉厚を厚く形成すると水切れが悪くなりルアーのアクションが小さく単調なものとなって対象魚へのアピールが十分行えないという問題があった。
【０００８】
また、ルアーの輪郭形状や表面に凹凸を形成することによって餌となる小魚に似せるのであるが、鉛のルアー主体に形成した微細な形状や凹凸は岩石との衝突等で変形、消耗しやすいため、変形し難い形状や大きな凹凸しか形成することができない。このためルアーのデザインが限定され、小魚に似せたリアルなルアーを提供することができなかった。
【０００９】
さらに従来のルアーは、ライン、フックを装着するアイをルアーの前後に具備させ、しかも釣魚の引き等の強い引っ張り力によってアイがルアー主体から抜脱したり伸ばされることを防止するため、鋳型に溶融した鉛を注型してルアー主体を形成する際にステンレス線材等をインサート成形することによってルアー主体を貫通するルアーを形成しているが、ルアー主体を貫通するステンレス線材等がルアー主体に対して固定されているため、ルアー主体が回転するとその回転がアイを通じてラインに及び、ラインに撚りが生じるという問題もあった。
【００１０】
【課題を解決するための手段】
本発明は上記課題を解決すべくなされたものであり、ルアー主体の長手方向の前後にアイを具備しこれにフックを装着するルアーにおいて、ルアー主体がタングステンを主成分とする焼結合金で形成され、長手方向の前後に貫通する挿通孔を有し、前部アイと後部アイを両端に形成する挿通体を前記挿通孔に挿通するとともに、該挿通体が挿通孔から抜脱しないようにしたルアーを基本とする。
【００１１】
ルアー主体の挿通孔に挿通体を遊挿し、挿通体を軸としてルアー主体が回転しうるようにしてもよい。
【００１２】
挿通体を軸としてルアー主体を回転させうる回転力を生じさせる回転力発生部をルアー主体に形成してもよい。
【００１３】
【発明の効果】
本発明に掛かるルアーによれば、タングステンを主成分とする焼結合金で形成されており、鉛の比重（約１１）に対してタングステンの比重（約１９）が著しく大きいため、重量のあるルアーであっても鉛で形成したルアーと比較して長さ、断面積の増大を抑えることができる。このため重量のあるルアーを水深の深い場所で使用する場合であっても、水圧、水の抵抗を低減することができ、ロッドを操作してジャーキングさせる場合の操作力が軽くなり、釣り人の負担が軽減するので長時間釣りを続けることができる。
【００１４】
また、鉛で形成したルアーと比較して側面積の増大を抑えることができるため、潮流の影響を受けにくくなり、鉛のルアーの場合と比較して軽いルアーを選択しても十分に潮流による流れを防止することができる。よって、潮流の速い釣り場においてもルアーが流され難くなって狙った水深に迅速に沈ませることができる。また、潮流の速い釣り場であっても比較的小型のルアーを使用することができるため、対象魚の捕食している小魚の大きさに合わせることができ、対象魚がルアーを追いやすくなって釣果が向上する。
【００１５】
また、タングステンを主成分とする焼結合金で形成されたルアー主体１１は鉛で形成されたルアー主体と比較して強度があり、表面の硬度が高いため、ルアーが水底の岩石等に衝突しても変形、欠損し難い。よってデザインを犠牲にしてルアーの強度を保つ必要がなく、ルアーのデザインを自由に行うことができる。また、これにより、ルアーのアクションをよくすることができ、例えばルアー主体の周縁部の肉厚を薄く形成することによって水切れがよくなり、ルアーのアクションが鋭角的になって対象魚によりよくアピールすることができる。また、ルアー主体１１に形成した凹凸や模様も強度が高くなることによって変形、消耗し難くなるため、ルアー主体１１に微細な形状や模様等のデザインを施して小魚等に似せたリアルなルアーや、光を乱反射させやすい形状のルアーを提供することができる。
【００１６】
さらにルアー主体１１の長手方向の前後に貫通する挿通孔１２を具備させ、前部アイ２２と後部アイ２３を両端に形成する挿通体２を前記挿通孔１２に挿通するとともに、該挿通体２が挿通孔１２から抜脱しないようにしたため、釣魚の引き等の強い引っ張り力によってアイがルアー主体１１から抜脱したり伸ばされることが防止されるとともに、ルアー主体１１の挿通孔１２に挿通体２を遊挿し、挿通体２を軸としてルアー主体１１が回転しうるようにすれば、ルアー主体１１が回転してもその回転はラインに及ぶことがなく、ラインに撚りが生じることがない。また、挿通体２を軸としてルアー主体１１を回転させうる回転力を生じさせる回転力発生部１３をルアー主体１１に形成することにより、ルアーのアクションに回転が加わり、より光を乱反射させて対象魚にアピールするとともに、水中での下降時における直進性が増し、ルアーが左右に振れることなく狙った水深に沈ませることができる。
【００１７】
【発明の実施の形態及び実施例】
（実施例１）
次に本発明の実施例１にかかるルアー１について図を用いて説明すると、図１は実施例１にかかるルアー１の側面図、図２はルアー主体１１の側面図及びＡ―Ａ線における拡大断面図、図３は挿通体２の側面図及びＢ―Ｂ線における拡大断面図、図４の４ａはステンレス線材で形成した挿通体、４ｂはワイヤーで形成した挿通体、４ｃは編み糸で形成した挿通体２の各側面図である。
【００１８】
実施例１にかかるルアー１は、図１に示すように長手方向の前後にそれぞれ前部アイ２２、後部アイ２３を有し、後部アイ２３にリング３ｂを介してフック４を装着したルアー１であり、全長１００ｍｍ、重量１２０グラムである。図２に示すようにルアー主体１１は長手方向の前後に貫通する挿通孔１２を具備しており、拡大断面図に示すように挿通孔１２の形状は後記挿通体２の断面形状と略一致させ、挿通体２を挿通しうる形状である。
【００１９】
ルアー主体１１はタングステンを主成分とする焼結合金で形成されており、本実施例ではタングステン９５％、ニッケル３％、鉄２％の比率で混合し、これを混練したのち型でルアー主体１１の輪郭形状、表面の鱗模様等の凹凸及びルアー主体を貫通する挿通孔１２を形成し、焼結手段によって焼結させる。焼結合金の強度を高めるためニッケル、鉄を混合したが、混合比率はこれに限定されるものではなくタングステンの比率をさらに高くしてルアー１の大きさを変更しないでより重量のあるルアー１を形成することができる。また、タングステンとその他の金属の混合比率を変更することにより、ルアー１の大きさを一定とし、重量だけが異なるルアー１を形成することもできる。また、前記挿通孔１２は型によって形成するほか、ルアー主体１１を焼結手段で焼結させたのち、切削手段等を用いて穿設してもよい。
【００２０】
図３に示すように、挿通体２は板厚１．２ｍｍのステンレス板を打ち抜き手段により打ち抜いて形成したものであって、軸部２１とその前端部に形成する前部アイ２２及び後端部に形成する後部アイ２３から構成される。軸部２１の長さはルアー主体１１に挿通した際に前部アイ２２、後部アイ２３がルアー主体１１から露出しうる長さとし、幅は５．０ｍｍとする。後部アイ２３の外径は７．０ｍｍとし、後部アイ２３の外径を軸部２１の幅より広くするとともにルアー主体１１の挿通孔１２より幅広くし、後部アイ２３には内径４．６ｍｍの透孔を穿設する。また、軸部２１の前端の前部アイ２２には内径２．６ｍｍの透孔を穿設する。
【００２１】
上記挿通体２はルアー主体１１の後端部から挿通孔１２に挿入し、ルアー主体１１の前部から前部アイ２２が露出するまで挿入する。挿入後、前部アイ２２にリング３ａを装着し、後部アイ２３にリング３ｂを装着し、後部アイ２３のリング３ｂにフック４を装着する。後部アイ２３は外径をルアー主体１１の挿通孔１２より幅広く形成しているため、前部アイ２２側に引っ張り力が作用しても挿通体２が挿通孔１２を通過して抜脱することはない。また、前部アイ２２にはリング３ａを装着しているため、後部アイ２３側に引っ張り力が作用しても挿通体２が挿通孔１２を通過して抜脱することはない。尚、後部アイ２３にリング３ｂ及びフック４を装着せず、前部アイ２２またはリング３ａにアシストフック（短い編糸の先端にフックを装着する仕掛の一種）を装着してもよい。
【００２２】
上記挿通体２の形状、寸法は実施例に限定されず、引っ張り強度が確保され、ライン、リングを装着できる前部アイ２２と後部アイ２３が形成されればよい。また後部アイ２３の形状を軸部２１に透孔を穿設した形状とし、前部アイ２２の形状を軸部２１の幅より広い形状としてもよい。この場合、挿通体２の挿通はルアー主体１１の前部から行う。
【００２３】
上記挿通体２はルアー主体１１に固定してもよく、固定手段としてルアー主体１１の一部または全部をプレスして挿通体２を圧着固定する手段、ルアー主体１１の側面から挿通体２を貫通するようにピンを打って固着する手段等を用いることができる。あるいは挿通体２をルアー主体１１に固定せずに遊動可能な状態としてもよい。この場合挿通体２の軸部２１の長さをルアー主体１１より長くしてもよい。
【００２４】
前記挿通体２は、ステンレス板等を打ち抜いた板状の挿通体２に限られず、図４に示すようにステンレス線材、ワイヤー、あるいはポリエステル繊維の編糸など、引っ張り強度が強く、端部を環状として前部アイ２２と後部アイ２３を形成できるものを使用して挿通体２を形成することもできる。上記ステンレス線材で挿通体２を形成する場合は、図４（４ａ）のようにステンレス線材の一端部を屈曲させ端部を巻きつけて後部アイ２３を形成し、他端をルアー主体１１の挿通孔１２に挿通させた後、ステンレス線材の端部を屈曲させて前部アイ２２を形成する。また、ワイヤーを用いる場合は図４（４ｂ）のように一端部を環状に曲げて金属スリーブ２４を被嵌し、これをカシメて前部アイ２２及び後部アイ２３を形成することができる。さらに、ポリエステル繊維等の編糸の場合は図４（４ｃ）のように端部を環状に締結する手段等によって前部アイ２２及び後部アイ２３を形成することができる。挿通体２を板状のものとせず、図４のように線材等を用いる場合には、ルアー主体１１に形成する挿通孔１２の断面形状もこれに応じて挿通体２が挿通できる程度の細い孔とする。
【００２５】
挿通体２の素材として引っ張り力の作用によって伸長する弾力性のある素材を使用することもでき、この場合対象魚の引き等によって強い引っ張り力が作用した際に挿通体２が僅かに伸張して衝撃を吸収し、ラインに許容以上の引っ張り力が作用して破断することを防止できる点で好ましい。
【００２６】
（実施例２）
次に本発明の実施例２にかかるルアー１について図を用いて説明すると、図５は実施例２にかかるルアー１の側面図及びＣ―Ｃ線における拡大断面図である。実施例２にかかるルアー１は、長手方向の前後に前部アイ２２と後部アイ２３を有し、後部アイ２３にリング３ｂを介してフック４を装着したルアー１であり、ルアー主体１１の挿通孔１２に挿通体２が遊挿され、挿通体２を軸としてルアー主体が回転しうる構成である。挿通孔１２の断面形状は図５の拡大断面図に示すように、挿通体２を挿通でき、かつ挿通体２との間に間隙を有する形状とする。挿通孔１２と挿通体２との摩擦を軽減するため、挿通体２及び挿通孔１２の断面形状は円形が好ましい。
【００２７】
挿通体２はルアー主体１１の挿通孔１２に挿通され、前部アイ２２と後部アイ２３を具備する。挿通体２を軸としてルアー主体１１が回転しうるように挿通体２の軸部２１の長さはルアー主体１１の長さより長くするとともに、前部アイ２２とルアー主体１１の間、及び後部アイ２３とルアー主体１１の間にスペーサ５を設けてルアー主体１１と前部アイ２２、後部アイ２３の干渉を防止するとともに摩擦も低減する。
【００２８】
実施例２のルアー１によれば、ルアー主体１１の挿通孔１２に挿通体２が遊挿され、挿通体２を軸としてルアー主体１１が回転しうるため、ルアー主体１１が回転してもその回転はラインに及ぶことがなく、ラインに撚りが生じることがない。
【００２９】
（実施例３）
次に本発明の実施例３にかかるルアー１について図を用いて説明すると、図６は実施例３にかかるルアー１の側面図及びＤ―Ｄ線における拡大断面図である。実施例３にかかるルアー１は、基本的な構成は実施例２にかかるルアー１と略同じように、ルアー主体１１の挿通孔１２に挿通体２が遊挿され、挿通体２を軸としてルアー主体１１が回転しうる構成であり、さらにルアー主体１１の側面に回転力発生部１３が形成されている。該回転力発生部１３としてルアー主体１１の長手方向に螺旋状のひねり部１４を形成した構成であり、ルアー１を水中で引いたときルアー主体１１の長手方向に通過する水流がひねり部１４に沿って流れ、挿通体２を軸としてルアー主体１１を回転させうる回転力を生じさせる。ルアー１を回転させることによって、より光を乱反射させて対象魚にアピールするとともに、水中での下降時における直進性が増し、ルアー１が左右に振れることなく狙った水深に沈ませることができる。また、ルアー主体１１が回転してもその回転はラインに及ばずラインに撚りが生じることはない。
【００３０】
（実施例４）
次に本発明の実施例４にかかるルアー１について図を用いて説明すると、図７は実施例４にかかるルアー１の側面図及びＥ―Ｅ線における拡大断面図である。実施例４にかかるルアー１は、基本的な構成は実施例２にかかるルアー１と略同じように、ルアー主体１１の挿通孔１２に挿通体２が遊挿され、挿通体２を軸としてルアー主体１１が回転しうる構成であり、さらにルアー主体１１の側面に回転力発生部１３が形成されている。該回転力発生部１３としてルアー主体１１の側面に突片１５を設けている。該突片１５は挿通体２に対して軸対象にひねりを形成しており、水流によって挿通体２回りの回転力を生じさせる。突片１５の形状及び突設する位置は実施例に限定されず、ルアー主体１１の側面に長手方向に長細い形状などライン、フック４等と干渉して絡みを生じさせない形状、位置に突設することができる。ルアー１を回転させることによって、より光を乱反射させて対象魚にアピールするとともに、水中での下降時における直進性が増し、ルアー１が左右に振れることなく狙った水深に沈ませることができる。また、ルアー主体１１が回転してもその回転はラインに及ばずラインに撚りが生じることはない。
【図面の簡単な説明】
【図１】実施例１にかかるルアー１の側面図である。
【図２】ルアー主体１１の側面図及びＡ―Ａ線における拡大断面図である。
【図３】挿通体２の側面図及びＢ―Ｂ線における拡大断面図である。
【図４】４ａはステンレス線材で形成した挿通体２、４ｂはワイヤーで形成した挿通体２、４ｃは編み糸で形成した挿通体２の側面図である。
【図５】実施例２にかかるルアー１の側面図及びＣ―Ｃ線における拡大断面図である。
【図６】実施例３にかかるルアー１の側面図及びＤ―Ｄ線における拡大断面図である。
【図７】実施例４にかかるルアー１の側面図及びＥ―Ｅ線における拡大断面図である。
【符号の説明】
１　　　ルアー
１１　　ルアー主体
１２　　挿通孔
１３　　回転力発生部
１４　　ひねり部
１５　　突片
２　　　挿通体
２１　　軸部
２２　　前部アイ
２３　　後部アイ
２４　　スリーブ
３ａ　　リング
３ｂ　　リング
４　　　フック
５　　　スペーサ
【図１】
2004057099.tif 000003
【図２】
2004057099.tif 000004
【図３】
2004057099.tif 000005
【図４】
2004057099.tif 000006
【図５】
2004057099.tif 000007
【図６】
2004057099.tif 000008
【図７】
2004057099.tif 000009